(57)【要約】【課題】  本来の収納物の収納スペースを減少させることなく、バッグ本体部の外部に設けられ、内部に飲料容器を被覆して収納でき、かつ内面に断熱材を内張りした飲料容器収納部を設け、飲料容器を保温した状態で持ち運びできるバッグを提供する。【解決手段】  バッグ本体部と、上記バッグ本体部の外部に設けられ、飲料容器を取り出し可能に収納できる飲料容器収納部とを有し、上記飲料容器収納部は、内部に上記飲料容器を被覆して収納しうるように構成されている。【選択図】  図１
0003183151.tif 000002
【実用新案登録請求の範囲】
【請求項１】
バッグ本体部と、上記バッグ本体部の外部に設けられ、飲料容器を取り出し可能に収納できる飲料容器収納部とを有し、上記飲料容器収納部は、内部に上記飲料容器を被覆して収納しうるように構成されていることを特徴とするバッグ。
【請求項２】
上記飲料容器収納部には、断熱材が設けられていることを特徴とする請求項１記載のバッグ。
【請求項３】
上記断熱材は、上記飲料容器収納部内面に内張りされていることを特徴とする請求項３記載のバッグ。
【請求項４】
上記飲料容器収納部には、ファスナーを有する開口部が設けられていることを特徴とする請求項１記載のバッグ。
【考案の詳細な説明】
【技術分野】
【０００１】
本考案は、飲料容器を保温した状態で持ち運びできるバッグに関するものである。
【背景技術】
【０００２】
今日、バッグは、老若男女問わずファッションアイテムの一つとして身に着ける人も多く、そのため、使い勝手が良く、カジュアルなバッグが多く流通している。
使い勝手の良さとしては、パソコンやノート等の比較的大きな物から、財布や携帯電話、飲食物等の比較的小さな物まで、種々の物を収納できるスペースが設けられていることや、物の出し入れが容易にできること等が挙げられる。
したがって、バッグは四季を問わず、日常的に使用されるものである。
【０００３】
バッグに収納する物は多種多様であるが、飲食物、特にボトルや缶などの飲料を収納している人は多い。
しかし、上記飲料はバッグに収納している場合であっても、気温の低い冬場においては、温かい飲料は冷めてしまい、逆に気温の高い夏場においては、冷たい飲料は温まってしまうため、良好な保温状態で持ち運びすることは難しい。
【０００４】
このような観点から、上記バッグについては、様々な発明または考案がなされている。例えば、バッグ本体部内において被保温材としてのボトルや缶の収納部を設け、断熱袋部内に収納袋部を配置し、断熱袋部と収納袋部との間に保冷部材を収納することで保温するもの（例えば、特許文献１参照）、同様にバッグ本体部内に被保温材としてのボトルや缶の収納部を設け、温度調節部材収納部に温度調整部材を収納し、温度影響を受ける位置に収納ポケットを設けたもの（例えば、特許文献２参照）、また、バッグ本体部を上下または内外に二分割し、上下の何れか一方または内外の何れか一方の収納部を断熱材により形成することで、保温機能を備えたもの（例えば、特許文献３から４参照）等が知られている。
【特許文献１】実用新案登録第４０９５５３１号公報
【特許文献２】実用新案登録第３１２６５４０号公報
【特許文献３】実用新案登録第３０２７５８８号公報
【特許文献４】特開２００９−１７８５４０号公報
【考案の開示】
【考案が解決しようとする課題】
【０００５】
しかしながら、バッグ本体部にボトルや缶等の被保温材の収納部を設けることから、本来の収納物の収納量が減ってしまうと共に、飲料容器を保温するために、保温または保冷部材を別個に設ける必要がある（例えば、特許文献１〜２参照）、また、保温機能を備えた収納部は、飲料容器のみを収納する収納部ではなく、かつ収納部の収納スペースが広いため、パソコンやノート、財布や携帯電話等の本来の収納物を収納する収納スペースが狭くなってしまう等の不具合があった（特許文献３〜４）。
【０００６】
本考案は、このような従来からの不具合を解決するためのものであり、本来の収納物の収納スペースを減少させることなく、バッグ本体部の外部に設けられ、内部に飲料容器を被覆して収納でき、かつ内面に断熱材を内張りした飲料容器収納部を設け、飲料容器を保温した状態で持ち運びできるバッグを提供することにある。
【課題を解決するための手段】
【０００７】
バッグ本体部と、上記バッグ本体部の外部に設けられ、飲料容器を取り出し可能に収納できる飲料容器収納部とを有し、上記飲料容器収納部は、内部に上記飲料容器を被覆して収納しうるように構成されていることを特徴とする。
【０００８】
請求項２記載の考案にあっては、上記飲料容器収納部には、断熱材が設けられていることを特徴とする。
【０００９】
請求項３記載の考案にあっては、上記断熱材は、上記飲料容器収納部内面に内張りされていることを特徴とする。
【００１０】
請求項４記載の考案にあっては、上記飲料容器収納部には、ファスナーを有する開口部が設けられていることを特徴とする。
【考案の効果】
【００１１】
請求項１から３記載の考案にあっては、飲料容器収納部は、内部に飲料容器を被覆して収納しうるように構成され、上記飲料容器収納部内面には、断熱材が内張りされている。
したがって、保温または保冷部材を別個に設ける必要はないため、保温または保冷部材に費やすコストを抑制した状態で、上記飲料容器を保温し持ち運びすることができる。
また、上記飲料容器収納部は、他の収納物を収納する収納部とは独立して設けられている。
その結果、上記飲料容器の保温効率を高くすることができると共に、上記飲料容器の出し入れが容易である。さらに、他の収納物を収納するための収納スペースを比較的広く確保することができると共に、上記飲料容器との接触により、他の収納物を濡らすことなく持ち運びすることできる。
【００１２】
請求項４記載の考案にあっては、上記飲料容器収納部には、ファスナーを有する開口部が設けられていることから、容器を密閉することができるため、保温状態をより長く維持することができる。
【図面の簡単な説明】
【００１３】
【図１】本考案に係るバッグにおける一実施の形態であって、リュックサックに適用した場合を示す斜視図である。
【図２】本考案に係るバッグにおける一実施の形態であって、トートバッグに適用した場合を示す斜視図である。
【図３】本考案に係るバッグにおける一実施の形態であって、ボストンバッグに適用した場合を示す斜視図である。
【図４】本考案に係るバッグにおける一実施の形態であって、ボディバッグに適用した場合を示す斜視図である。
【図５】本考案に係るバッグにおける一実施の形態であって、キャリーケースに適用した場合を示す斜視図である。
【考案を実施するための最良の形態】
【００１４】
以下、添付図面に示す実施の形態に基づき、本考案を詳細に説明する。
図１に示すように、本実施の形態に係るバッグは、全体略直方体状に形成された収納物を収納するバッグ本体部１１と、バッグ本体部１１の背面部１２の上端部１４から下端部２２にかけて接合された帯状の左右一対の肩掛けバンド１３、１３と、バッグ本体部１１の上端部１４に取り付けられた吊下げ部１５とを備えたリュックサック１０である。
【００１５】
バッグ本体部１１は、パソコンやノート等の比較的大きな物を取り出し可能に収納できる収納部２１と、バッグ本体部１１の厚さ方向外側部の上部３３側に設けられた飲料容器１８を取り出し可能に収納できる飲料容器収納部１９と、下部３４側に設けられ財布や携帯電話等の比較的小さな物を取り出し可能に収納できるポケット部２０とが設けられている。
また、飲料容器収納部１９、ポケット部２０、収納部２１には、線ファスナー２３により開閉可能に形成された開口部２６が設けられている。
【００１６】
本実施の形態にあっては、飲料容器収納部１９は、バッグ本体部１１の厚さ方向外側部１７の上部３３に、幅方向に沿って形成されており、内部に飲料容器１８を被覆して収納しうるように構成されている。
飲料容器収納部１９には、内部の内側面に断熱材３２が内張りされており、断熱材３２は、アルミニウムを紙状に薄く延設して形成されたアルミ箔が使用されている。
【００１７】
したがって、飲料容器収納部１９に設けられた線ファスナー２３を閉じた場合には、気温の低い冬場においては、温かい飲料容器１８から発せられる熱気は、アルミ箔に反射されることで、外気中に逃げることなく飲料容器収納部１９の内部を循環すると共に、冷たい外気の混入を遮断するため、飲料容器１８は温かい状態で保温することができる。
また、気温の高い夏場においては、冷たい飲料容器１８から発せられる冷気が、アルミ箔に反射されることで、外気中に逃げることなく飲料容器収納部１９の内部を循環すると共に、温かい外気の混入を遮断するため、飲料容器１８は冷たい状態で保温することができる。
【００１８】
また、本実施の形態にあっては、飲料容器収納部１９は、バッグ本体部１１の厚さ方向外側部の上部３３に、幅方向に沿って形成されているが、バッグ本体部１１の厚さ方向外側部の下部３４に幅方向に沿って形成することや、バッグ本体部１１の厚さ方向外側部の上部３３や下部３４、または側面部３５に長さ方向に沿って形成しても良い。
【００１９】
図２は、本考案に係るバッグにおける一実施の形態であって、トートバッグ４０に適用した場合を示す斜視図である
本実施の形態に係るトートバッグ４０は、全体略直方体状に形成された収納物を収納するバッグ本体部４１と、バッグ本体部４１の厚さ方向外側部の上端部４３及び背面部４４の上端部４３に各々接合された帯状の一対の手提げ用または肩掛け用の把手（肩掛けバンド）４５、４５とを備えている。
【００２０】
バッグ本体部４１は、財布やパソコン、ノート等を取り出し可能に収納できる収納部４９と、収納部４９の厚さ方向外側部に設けられた飲料容器４７を取り出し可能に収納できる飲料容器収納部４８を有している。
また、飲料容器収納部４８には、線ファスナー５０により開閉可能に形成された開口部５１が設けられている。
【００２１】
本実施の形態にあっては、図１に示したリュックサック１０と同様に、飲料容器収納部４８は、収納部４９の厚さ方向外側部の上下方向の略中間部５３に、幅方向に沿って形成されており、内部に飲料容器４７を被覆して収納しうるように構成されている。
また、飲料容器収納部４８には、内部の内側面にアルミニウムを紙状に薄く延設して形成されたアルミ箔が使用された断熱材５６が内張りされている。
したがって、図１に示した場合と同様に、飲料容器４７を保温した状態で持ち運びすることができる．
【００２２】
また、本実施の形態にあっては、飲料容器収納部４８は、収納部４９の厚さ方向外側部の上下方向の略中間部５３に、幅方向に沿って形成されているが、収納部４９の厚さ方向外側部の上下方向の略下部５７に幅方向に沿って形成することや、または収納部４９の側面部５８に長さ方向に沿って形成しても良い。
【００２３】
図３は、本考案に係るバッグにおける一実施の形態であって、ボストンバッグ７０に適用した場合を示す斜視図である。
本実施の形態に係るボストンバッグ７０は、全体略横長直方体状に形成された収納物を収納するバッグ本体部７１と、バッグ本体部７１の厚さ方向外側部の上端部７３及び背面部７４の上端部７３に各々接合された帯状の一対の手提げ用の把手７５、７５と、バッグ本体部７１の側面部７６に接合された帯状の肩掛けバンド７７とを備えている。を備えている。
【００２４】
バッグ本体部７１は、パソコン、ノート、衣類等の比較的大きな物を取り出し可能に収納できる収納部８３と、バッグ本体部７１の厚さ方向外側部の図中左方部８２側に設けられた飲料容器７９を取り出し可能に収納できる飲料容器収納部８０と、図中右方部８５側に設けられ財布や携帯電話等の比較的小さな物を取り出し可能に収納できるポケット部８１が設けられている。
また、飲料容器収納部８０、ポケット部８１、収納部８３には、線ファスナー８４により開閉可能に形成された開口部８７が設けられている。
【００２５】
本実施の形態にあっては、図１に示したリュックサック１０と同様に、飲料容器収納部８０は、バッグ本体部７１の厚さ方向外側部の上記左方部８２側に、幅方向に沿って形成されており、内部に飲料容器７９を被覆して収納しうるように構成されている。
また、飲料容器収納部８０には、内部の内側面にアルミニウムを紙状に薄く延設して形成されたアルミ箔が使用された断熱材９３が内張りされている。
したがって、図１に示した場合と同様に、飲料容器７９を保温した状態で持ち運びすることができる．
【００２６】
また、本実施の形態にあっては、飲料容器収納部８０は、バッグ本体部７１の厚さ方向外側部の上記左方部８２側に、幅方向に沿って形成されているが、バッグ本体部７１の厚さ方向外側部の下部９４側に幅方向に沿って形成することや、またはバッグ本体部４１の厚さ方向外側部や側面部７６に長さ方向に沿って形成しても良い。
【００２７】
図４は、本考案に係るバッグにおける一実施の形態であって、ボディバッグ１００に適用した場合を示す斜視図である。
本実施の形態に係るボディバッグ１００は、全体略縦長直方体状に形成された収納物を収納するバッグ本体部１０１と、バッグ本体部１０１の背面部１０２の上端部１０３から側面部１０４の下端部１０５にかけて接合された帯状の肩掛けバンド１０６とを備えている。
【００２８】
バッグ本体部１０１は、財布や本を取り出し可能に収納できる収納部１１２と、収納部１１２の厚さ方向外側部に設けられた飲料容器１０９を取り出し可能に収納できる飲料容器収納部１１０とが設けられている。
また、飲料容器収納部１１０及び収納部１１２には、線ファスナー１１３、により開閉可能に形成された開口部１１５が設けられている。
【００２９】
本実施の形態にあっては、図１に示したリュックサック１０と同様に、飲料容器収納部１１０は、バッグ本体部１０１の厚さ方向外側部に、長さ方向に沿って形成されており、内部に飲料容器１０９を被覆して収納しうるように構成されている。
また、飲料容器収納部１１０には、内部の内側面にアルミニウムを紙状に薄く延設して形成されたアルミ箔が使用された断熱材１１９が内張りされている。
したがって、図１に示した場合と同様に、飲料容器１０９を保温した状態で持ち運びすることができる．
【００３０】
また、本実施の形態にあっては、飲料容器収納部１１０は、バッグ本体部１０１の厚さ方向外側部に、長さ方向に沿って形成されているが、バッグ本体部１０１の側面部１０４に沿って形成しても良い。
【００３１】
図５は、本考案に係るバッグにおける一実施の形態であって、キャリーケース１３０に適用した場合を示す斜視図である。
本実施の形態に係るキャリーケース１３０は、全体略縦長直方体状に形成された収納物を収納するケース本体部１３１と、ケース本体部１３１の上部１３２に設けられた取手部１３３と、ケース本体部１３１の背面側において、上端部１３４から長さ方向に延接された引手部１３５と、回転式車輪１３６、１３６、１３６、１３６とを備えている。
【００３２】
ケース本体部１３１は、衣類やパソコン等の大きな物を取り出し可能に収納できる収納部１４２と、ケース本体部１３１の厚さ方向外側部の上部１３２側に設けられた飲料容器１３９を取り出し可能に収納できる飲料容器収納部１４０と、本や雑誌を取り出し可能に収納できる収納部１４１とを設けている。
また、飲料容器収納部１４０及びポケット部１４１、収納部１４２には、線ファスナー１４３により開閉可能に形成された開口部１４６が設けられている。
【００３３】
本実施の形態にあっては、図１に示したリュックサック１０同様に、飲料容器収納部１４０は、ケース本体部１３１の厚さ方向外側部の上部１３２側に、幅方向に沿って形成されており、内部に飲料容器１３９を被覆して収納しうるように構成されている。
また、飲料容器収納部１４０には、内部の内側面にアルミニウムを紙状に薄く延設して形成されたアルミ箔が使用された断熱材１５２が内張りされている。
したがって、図１に示した場合と同様に、飲料容器１３９を保温した状態で持ち運びすることができる．
【００３４】
また、本実施の形態にあっては、飲料容器収納部１４０は、ケース本体部１３１の厚さ方向外側部の上部１３２側に、幅方向に沿って形成されているが、ケース本体部１３１の厚さ方向外側部の下部側１５３に幅方向に沿って形成することや、厚さ方向外側部の上部１３２側や下部１５３側、または側面部１５４に長さ方向に沿って形成しても良い。
【００３５】
尚、本考案に係るバッグにおいては、一実施の形態として、リュックサック１０、トートバッグ４０、ボストンバッグ７０、ボディバッグ１００、キャリーケース１３０に適用した場合を例に説明したが、本実施の形態に限定されず、ビジネスバッグ、ショルダーバッグ、スクールバッグ、ウエストポーチ、ハンドバッグ等にも適用できる。
【００３６】
また、これまでの実施の形態として、図１に示すように、飲料容器収納部１９をバッグ本体部１１の厚さ方向外側部の上部３３側に設けたものを例に説明したが、飲料容器収納部１９をバッグ本体部１１から独立させたケース、例えば、携帯用飲料容器収納ケ−ス（図示せず）にも適用できる。
上記携帯用飲料容器収納ケ−スは、全体略直方体状に形成された飲料容器を収納するケース本体部と、上記ケース部の一方側面上部から、一方側面上部の背面にかけて接合された帯状の取手部とを備えている。
【００３７】
上記ケース本体部は、他方側面上部に飲料容器を取り出し可能に収納できる飲料容器収納部を設けると共に、上記飲料容器収納部には、他方側面部に線ファスナーにより開閉可能に形成された開口部が設けられている。
【００３８】
本実施の形態にあっては、図１に示したリュックサック１０と同様に、上記飲料容器収納部は、上記ケース本体部の上記他方側面上部から上下方向の略中間部にかけて形成されており、内部に上記飲料容器を被覆して収納しうるように構成されている。
また、飲料容器収納部には、上記内部の内側面にアルミニウムを紙状に薄く延設して形成されたアルミ箔が使用された断熱材５６が内張りされている。
したがって、図１に示した場合と同様に、上記飲料容器を保温した状態で持ち運びすることができる．
【産業上の利用可能性】
【００３９】
従って、本考案に係るバッグは、飲料容器を良好な保温状態で持ち運びすることができると共に、老若男女の使用実態に適した多種多様なバッグに適用できるため、産業上の利用可能性を有している。
【符号の説明】
【００４０】
１０  リュックサック
１１  バッグ本体部
１２  背面部
１３  肩掛けバンド
１４  上端部
１５  吊下げ部
１８  飲料容器
１９  飲料容器収納部
２０  ポケット部
２１  収納部
２２  下端部
２３  線ファスナー
２６  開口部
３２  断熱材
３３  上部
３４  下部
３５  側面部
４０  トートバッグ
４１  バッグ本体部
４３  上端部
４４  背面部
４５  把手（肩掛けバンド）
４７  飲料容器
４８  飲料容器収納部
４９  収納部
５０  線ファスナー
５１  開口部
５３  中間部
５６  断熱材
５７  下部
５８  側面部
７０  ボストンバッグ
７１  バッグ本体部
７３  上端部
７４  背面部
７５  把手
７６  側面部
７７  肩掛けバンド
７９  飲料容器
８０  飲料容器収納部
８１  ポケット部
８２  左方部
８３  収納部
８４  線ファスナー
８５  右方部
８７  開口部
９３  断熱材
９４  下部
１００  ボディバッグ
１０１  バッグ本体部
１０２  背面部
１０３  上端部
１０４  側面部
１０５  下端部
１０６  肩掛けバンド
１０９  飲料容器
１１０  飲料容器収納部
１１２  収納部
１１３  線ファスナー
１１５  開口部
１１９  断熱材
１３０  キャリーケース
１３１  ケース本体部
１３２  上部
１３３  取手部
１３４  上端部
１３５  引手部
１３６  回転式車輪
１３９  飲料容器
１４０  飲料容器収納部
１４１  ポケット部
１４２  収納部
１４３  線ファスナー
１４６  開口部
１５２  断熱材
１５３  下部
１５４  側面部
【図１】
0003183151.tif 000003
【図２】
0003183151.tif 000004
【図３】
0003183151.tif 000005
【図４】
0003183151.tif 000006
【図５】
0003183151.tif 000007
【手続補正書】
【提出日】平成25年2月21日(2013.2.21)
【手続補正１】
【補正対象書類名】実用新案登録請求の範囲
【補正対象項目名】請求項３
【補正方法】変更
【補正の内容】
【請求項３】
上記断熱材は、上記飲料容器収納部内面に内張りされていることを特徴とする請求項２記載のバッグ。